【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
ローカルエリア内に存在する無線通信端末が、当該ローカルエリア外のネットワークと通信を行えるようにするシステムであって、
それぞれがローカルエリア内で個別的に無線通信エリアを形成し、対応する無線通信エリア内の無線通信端末との間で無線通信を行う複数の子局と、
前記ローカルエリア外からローカルエリア内に入力される信号をローカルエリア内で使用される信号の形式に変換し、かつローカルエリア内からローカルエリア外へ出力される信号をローカルエリア外で使用される信号の形式に変換する１以上のアクセス中継装置と、
各前記子局と各前記アクセス中継装置との間に配置される親局とを備え、
前記親局は、
各前記アクセス中継装置から各前記子局への通信経路を設定可能な状態で管理する管理手段と、
前記ローカルエリア外から入力され各前記アクセス中継装置で形式が変換されてローカルエリア内に入力される信号を、前記管理手段で管理されている通信経路にしたがって対応する子局に対して振り分けて出力する振り分け手段とを含む、無線通信システム。
【請求項２】
各前記アクセス中継装置は、互いに異なる周波数を用いて、前記ローカルエリア内に入力される信号を、前記ローカルエリア内で使用される信号の形式に変換しており、
前記振り分け手段は、さらに
各前記アクセス中継装置のそれぞれに対応する１以上の分岐手段と、
各前記子局のそれぞれに対応する複数の切り替え手段と、
各前記切り替え手段のそれぞれに対応する複数の多重化手段とを含み、
各前記分岐手段は、前記アクセス中継装置で形式が変換されて前記ローカルエリア内に入力される信号を、全ての前記切り替え手段に分岐して出力し、
各前記切り替え手段は、前記管理手段の管理されている通信経路に基づいて、各前記分岐手段から出力されてくる信号の内いずれを対応する前記子局に出力するのかを切り替え、
各前記多重化手段は、対応する各前記切り替え手段が出力した信号を周波数多重して、多重化された前記ローカルエリア内に入力される信号を作成して対応する子局に出力することを特徴とする、請求項１に記載の無線通信システム。
【請求項３】
各前記アクセス中継装置と前記ローカルエリア外のネットワークとの間に配置されるネットワークスイッチをさらに含み、
前記ネットワークスイッチは、各前記アクセス中継装置と前記ローカルエリア内に存在する無線通信端末との接続状態を管理しており、自機に入力してきた信号を参照して送信先の前記ローカルエリア内に存在する無線通信端末を特定し、前記接続状態に基づいて、当該自機に入力してきた信号を、特定した前記無線通信端末と接続している前記アクセス中継装置に出力することを特徴とする、請求項１に記載の無線通信システム。
【請求項４】
前記ローカルエリア内に存在する無線通信端末は、自機が属する通信エリアの子局に対して、前記ローカルエリア内に存在する他の無線通信端末に対して送信すべき信号を送信し、
前記他の無線通信端末に対して送信すべき信号は、前記子局および前記親局を経由して前記アクセス中継装置に入力され、当該アクセス中継装置において、前記ローカルエリア外で使用される信号の形式に変換されて、前記ネットワークスイッチに出力され、
前記ネットワークスイッチは、前記アクセス中継装置で形式が変更された信号を参照して前記ローカルエリア内に存在する他の無線通信端末を特定し、前記接続状態に基づいて、当該自機に入力してきた信号を、特定した前記無線通信端末と接続している前記アクセス中継装置に出力することを特徴とする、請求項３に記載の無線通信システム。
【請求項５】
各前記子局は、前記無線通信端末から送信されてくるローカルエリア内からローカルエリア外へ出力される信号を受信して、前記親局に対して出力し、
前記親局は、前記子局から出力されてくるローカルエリア内からローカルエリア外へ出力される信号を前記アクセス中継装置に対して出力し、
前記アクセス中継装置は、前記親局から出力されてくるローカルエリア内からローカルエリア外へ出力される信号を前記ローカルエリア外で使用される信号の形式に変換して、前記ローカルエリア外に出力することを特徴とする、請求項１に記載の無線通信システム。
【請求項６】
前記親局は、さらに
各前記子局に対応し、各前記子局から出力されてくるローカルエリア内からローカルエリア外へ出力される信号を受信する複数の親局受信手段と、
各前記親局受信手段が受信した前記ローカルエリア内からローカルエリア外へ出力される信号を合成して前記アクセス中継装置に出力する親局合成手段とを含む、請求項５に記載の無線通信システム。
【請求項７】
前記アクセス中継装置は、さらに
前記親局から送信されてくる信号の強度を検出する強度検出手段と、
前記強度検出手段が検出した前記親局から送信されてくる信号の強度が、所定値よりも小さくなった場合に、前記親局に対して、自機に送信すべき信号を別の信号に切り替えるように要求する要求手段とをさらに含み、
前記親局は、前記要求手段からの要求がありかつ、前記アクセス中継装置に送信すべき同一内容の信号を２以上の前記子局から受信している場合には、当該２以上の子局の内、当該アクセス中継装置に出力している信号の出力元とは異なる前記子局から出力されてくる信号を、当該アクセス中継装置に出力している信号に代えて出力することを特徴とする、請求項５に記載の無線通信システム。
【請求項８】
各前記子局は、前記ローカルエリア内に入力される信号からの影響により前記ローカルエリア内からローカルエリア外へ出力される信号において発生するクロストークと同じ強度を有する信号を、前記ローカルエリア内に入力される信号に基づいて作成し、前記クロストークに対して反転注入するクロストークキャンセル手段をさらに含む、請求項５に記載の無線通信システム。
【請求項９】
前記クロストークキャンセル手段は、
前記ローカルエリア内に入力される信号の一部を分岐する第１のカプラ部と、
前記第１のカプラ部が分岐したローカルエリア内に入力される信号の一部と、前記ローカルエリア内からローカルエリア外へ出力される信号とを合成する第２のカプラ部とを含み、
前記第１のカプラ部は、前記ローカルエリア内に入力される信号を分岐する際に、前記第２のカプラ部に出力する信号の位相を９０°変化させ、
前記第２のカプラ部は、二つの信号を合成する際に、前記第１のカプラ部から出力された前記ローカルエリア内に入力される信号の位相を９０°変化させることを特徴とする、請求項８に記載の無線通信システム。
【請求項１０】
各前記子局において、前記無線通信端末から送信されてくるローカルエリア内からローカルエリア外へ出力される信号を前記親局に対して出力するための送受信系統と、前記親局から出力されてくるローカルエリア内に入力される信号を前記無線通信端末に送信するための送受信系統とは、それぞれ別の筐体に格納されていることを特徴とする、請求項５に記載の無線通信システム。
【請求項１１】
前記親局と各前記子局とは、光伝送線により接続されており、
前記親局は、前記振り分け手段が振り分けた信号を光信号に変換する光信号変換手段をさらに含み、
各前記子局は、前記親局から出力されてくる光信号をローカルエリア内で使用される形式の電気信号に変換して、対応する無線通信エリア内の無線通信端末に対して無線電波の形式で送信することを特徴とする、請求項１に記載の無線通信システム。
【請求項１２】
前記子局は、
変換した前記ローカルエリア内で使用される形式の電気信号の周波数を、中間周波数から各前記アクセス中継装置が出力した時の周波数に変換する子局周波数変換手段をさらに含み、
前記子局周波数変換手段が周波数変換した信号を対応する無線通信エリア内の無線通信端末に対して無線電波の形式で送信し、
前記親局は、各前記アクセス中継装置で形式が変換されてローカルエリア内に入力される信号の周波数を中間周波数に変換する親局周波数変換手段をさらに含み、
前記振り分け手段は、前記親局周波数変換手段が周波数変換した各前記アクセス中継装置で形式が変換されてローカルエリア内に入力される信号を振り分けることを特徴とする、請求項１１に記載の無線通信システム。
【請求項１３】
各前記アクセス中継装置は、変換した前記ローカルエリア内に入力される信号を、第１の中間周波数の信号で親局に出力し、
前記親局は、各前記アクセス中継装置から出力されてくる前記ローカルエリア内に入力される信号の周波数を第２の中間周波数に変換する親局周波数変換手段をさらに含み、
前記振り分け手段は、前記親局周波数変換手段が周波数変換した各前記アクセス中継装置で形式が変換されてローカルエリア内に入力される信号を振り分けることを特徴とする、請求項１１に記載の無線通信システム。
【請求項１４】
各前記子局と前記親局とを結ぶ各光伝送線は、それぞれ略等長であることを特徴とする、請求項１１に記載の無線通信システム。
【請求項１５】
前記親局と各前記子局とは、光伝送線により接続されており、
前記親局は、前記アクセス中継装置で形式が変換されて前記ローカルエリアに入力される信号を光信号に変換する光信号変換手段をさらに含み、
前記振り分け手段は、前記光信号変換手段が変換した光信号を、前記子局に対して振り分けて出力することを特徴とする、請求項１に記載の無線通信システム。
【請求項１６】
前記親局は、各前記子局のそれぞれに対応し、それぞれが各前記アクセス中継装置から出力される全ての信号を受信する複数の受信手段をさらに備え、
前記振り分け手段は、
各前記子局のそれぞれに対応する複数の分離手段と、
各前記子局と各前記分離手段との間に設けられる複数の振り分け出力手段とを含み、
各前記分離手段は、各前記受信手段が受信した各前記アクセス中継装置から出力される全ての前記ローカルエリア内に入力される信号を、各前記アクセス中継装置毎の前記ローカルエリア内に入力される信号に分離し、
各前記振り分け出力手段は、対応する前記分離手段が分離した前記ローカルエリエア内に入力される信号の内、対応する前記子局に出力すべき前記ローカルエリア内に入力される信号を、前記管理手段で管理している通信経路に基づいて対応する当該子局に対して出力する、請求項１に記載の無線通信システム。
【請求項１７】
前記振り分け手段は、
各前記子局のそれぞれに対応する複数の受信手段と、
各前記子局と各前記受信手段との間に設けられる複数の振り分け出力手段とを含み、
各前記受信手段は、各前記アクセス中継装置から出力される前記ローカルエリア内に入力される信号の内、前記管理手段が管理している前記通信経路に基づいて、対応する前記子局に送信すべき前記ローカルエリア内に入力される信号のみを受信し、
各前記振り分け出力手段は、各前記受信手段が受信した前記ローカルエリア内に入力される信号を、対応する各前記子局に対して送信する、請求項１に記載の無線通信システム。
【請求項１８】
前記ローカルエリア内に存在する無線通信端末は、自機が属する通信エリアの子局に対して、所望するアクセス中継装置を介した通信開始の要求を行うための通信開始要求手段を備え、
前記通信開始の要求は、前記子局を経由して、前記親局到達し、
前記親局は、
前記通信開始要求手段から送信されてくる前記通信開始の要求を受信する通信要求受信手段と、
前記通信要求受信手段が受信した前記通信開始の要求に基づいて、前記子局が所望するアクセス中継装置を介した通信を開始させる通信開始手段とを備える、請求項１に記載の無線通信システム。
【請求項１９】
前記振り分け手段は、前記子局が、前記アクセス中継装置に対して所定時間以上信号を送信していない場合には、前記アクセス中継装置が出力する信号を、当該子局に振り分けて出力しないことを特徴とする、請求項１に記載の無線通信システム。
【請求項２０】
ローカルエリア内に存在する無線通信端末が、当該ローカルエリア外のネットワークと通信を行えるようにするシステムであって、
それぞれが前記ローカルエリア内で個別的に無線通信エリアを形成し、対応する無線通信エリア内の無線通信端末との間で無線通信を行う複数の子局と、
前記ローカルエリア外からローカルエリア内に入力される信号をローカルエリア内で使用される信号の形式に変換し、かつローカルエリア内からローカルエリア外へ出力される信号をローカルエリア外で使用される信号の形式に変換する複数のアクセス中継装置と、
各前記子局と各前記アクセス中継装置との間に配置される親局とを備え、
前記親局は、
各前記アクセス中継装置から出力される前記ローカルエリア内に入力される信号を周波数多重する多重化手段と、
前記振り分け手段は、前記多重化手段により多重化されたローカルエリア内に入力される信号を、全ての子局に振り分けて出力する振り分け手段とを含む、無線通信システム。
【請求項２１】
それぞれがローカルエリア内で無線通信エリアを形成し当該無線通信エリア内に存在する無線通信端末と無線通信を行う複数の子局と、前記ローカルエリア外から入力される信号を当該ローカルエリア内に出力する１以上のアクセス中継装置との間に配置される親局であって、
各前記アクセス中継装置から各前記子局への通信経路を設定可能な状態で管理する管理手段と、
前記アクセス中継装置が受信したローカルエリア内に入力される信号を、前記管理手段で管理されている通信経路にしたがって対応する子局に対して振り分けて出力する振り分け手段とを備える、親局。
【請求項２２】
それぞれがローカルエリア内で無線通信エリアを形成し当該無線通信エリア内に存在する無線通信端末と無線通信を行う複数の子局と、前記ローカルエリア外から入力される信号を当該ローカルエリア内に出力する複数のアクセス中継装置との間に配置される親局であって、
各前記アクセス中継装置が受信したローカルエリア内に入力される信号を受信する受信手段と、
前記受信手段が受信したローカルエリア内に入力される信号を、周波数多重する多重化手段と、
前記多重化手段により多重化されたローカルエリア内に入力される信号を、全ての子局に振り分けて出力する振り分け手段とを備える、親局。
【請求項２３】
それぞれがローカルエリア内で無線通信エリアを形成し、自機が形成する無線通信エリア内に存在する無線通信端末との間で通信を行なう無線通信システムにおいて用いられる子局であって、
前記無線通信システムでは、前記ローカルエリア外からローカルエリア内に入力される信号を、当該ローカルエリア内で使用される信号の形式に変換して、対応する子局ごとに振り分けて出力し、
振り分けて出力された信号の内、対応する信号を受信する信号受信手段と、
前記受信手段が受信した信号を対応する無線通信エリア内に存在する無線通信端末に無線電波の形式で送信する電波送信手段とを備える、子局。
【請求項２４】
前記ローカルエリア外からローカルエリア内に入力される信号は、光信号の形式の信号に変換されて振り分けて出力され、
前記信号受信手段は、光信号の形式に変換された信号を受信し、
前記信号受信手段が受信した信号を、電気信号の形式に変換する電気変換手段をさらに含み、
前記電波送信手段は、前記電気変換手段が変換した信号を前記無線通信端末に無線電波の形式で送信し、
前記無線通信端末は、無線電波の形式で前記ローカルエリア内からローカルエリア外へ出力すべき信号を送信し、
前記無線通信端末が送信した信号を受信する電波受信手段と、
前記電波受信手段が受信した信号を、自機が形成している無線通信エリア外に送信する信号送信手段と、
前記電波受信手段が受信した信号を、光信号の形式に変換する光変換手段とをさらに含み、
前記信号送信手段は、前記光変換手段が変換した光信号を、自機が形成している無線通信エリア外に送信することを特徴とする、請求項２３に記載の子局。
【請求項２５】
前記ローカルエリア内に入力される信号からの影響により前記ローカルエリア内からローカルエリア外へ出力される信号において発生するクロストークと同じ強度を有する信号を、前記ローカルエリア内に入力される信号に基づいて作成し、前記クロストークに対して反転注入するクロストークキャンセル手段をさらに含む、請求項２４に記載の子局。
【請求項２６】
前記クロストークキャンセル手段は、
前記ローカルエリア内に入力される信号の一部を分岐する第１のカプラ部と、
前記第１のカプラ部が分岐したローカルエリア内に入力される信号の一部と、前記ローカルエリア内からローカルエリア外へ出力される信号とを合成する第２のカプラ部とを含み、
前記第１のカプラ部は、前記ローカルエリア内に入力される信号を分岐する際に、前記第２のカプラ部に出力する信号の位相を９０°変化させ、
前記第２のカプラ部は、二つの信号を合成する際に、前記第１のカプラ部から出力された前記ローカルエリア内に入力される信号の位相を９０°変化させることを特徴とする、請求項２５に記載の子局。
【請求項２７】
前記信号受信手段と前記電波送信手段とは、第１の筐体に格納され、前記信号送信手段と前記電波受信手段とは、第２の筐体に格納されていることを特徴とする、請求項２４に記載の子局。
【請求項２８】
それぞれがローカルエリア内で個別的に無線通信エリアを形成し、かつ対応する無線通信エリア内の無線通信端末との間で無線通信を行う複数の子局と、ローカルエリアの外から内に入力される信号をローカルエリア内で使用される信号形式に変換し、かつローカルエリアの内から外へ出力される信号をローカルエリア外で使用される信号形式に変換する１つ以上のアクセス中継装置と、各子局と各アクセス中継装置との間に配置される親局とを備えたシステムにおいて、当該親局が行う方法であって、
各前記アクセス中継装置から各前記子局への通信経路を設定可能な状態で管理するステップと、
前記ローカルエリア外から入力され各前記アクセス中継装置で形式が変換されてローカルエリア内に入力される信号を、前記管理されている通信経路にしたがって対応する子局に対して振り分けて出力するステップとを備える、方法。
【請求項２９】
それぞれがローカルエリア内で個別的に無線通信エリアを形成し、かつ対応する無線通信エリア内の無線通信端末との間で無線通信を行う複数の子局と、ローカルエリアの外から内に入力される信号をローカルエリア内で使用される信号形式に変換し、かつローカルエリアの内から外へ出力される信号をローカルエリア外で使用される信号形式に変換する複数のアクセス中継装置と、各子局と各アクセス中継装置との間に配置される親局とを備えたシステムにおいて、当該親局が行う方法であって、
各前記アクセス中継装置から出力される前記ローカルエリア内に入力される信号を周波数多重するステップと、
前記周波数多重化されたローカルエリア内に入力される信号を、全ての子局に振り分けて出力するステップとを備える、方法。
【手続補正２】
【補正対象書類名】明細書
【補正対象項目名】００２３
【補正方法】変更
【補正の内容】
【００２３】
第２の発明は、第１の発明に従属する発明であって、各アクセス中継装置は、互いに異なる周波数を用いて、ローカルエリア内に入力される信号を、ローカルエリア内で使用される信号の形式に変換しており、振り分け手段は、さらに、各アクセス中継装置のそれぞれに対応する１以上の分岐手段と、各子局のそれぞれに対応する複数の切り替え手段と、各切り替え手段のそれぞれに対応する複数の多重化手段とを含み、各分岐手段は、アクセス中継装置で形式が変換されてローカルエリア内に入力される信号を、全ての切り替え手段に分岐して出力し、各切り替え手段は、管理手段の管理されている通信経路に基づいて、各分岐手段から出力されてくる信号の内いずれを対応する子局に出力するのかを切り替え、各多重化手段は、対応する各切り替え手段が出力した信号を周波数多重して、多重化されたローカルエリア内に入力される信号を作成して対応する子局に出力することを特徴とする。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】変更
【補正の内容】
【００２６】
第３の発明は、第１の発明において、各アクセス中継装置とローカルエリア外のネットワークとの間に配置されるネットワークスイッチをさらに含み、ネットワークスイッチは、各アクセス中継装置とローカルエリア内に存在する無線通信端末との接続状態を管理しており、自機に入力してきた信号を参照して送信先のローカルエリア内に存在する無線通信端末を特定し、接続状態に基づいて、自機に入力してきた信号を、特定した無線通信端末と接続しているアクセス中継装置に出力することを特徴とする。
【手続補正６】
【補正対象書類名】明細書
【補正対象項目名】００２７
【補正方法】変更
【補正の内容】
【００２７】
第４の発明は、第３の発明において、ローカルエリア内に存在する無線通信端末は、自機が属する通信エリアの子局に対して、ローカルエリア内に存在する他の無線通信端末に対して送信すべき信号を送信し、他の無線通信端末に対して送信すべき信号は、子局および親局を経由してアクセス中継装置に入力され、アクセス中継装置において、ローカルエリア外で使用される信号の形式に変換されて、ネットワークスイッチに出力され、ネットワークスイッチは、アクセス中継装置で形式が変更された信号を参照してローカルエリア内に存在する他の無線通信端末を特定し、接続状態に基づいて、自機に入力してきた信号を、特定した無線通信端末と接続しているアクセス中継装置に出力することを特徴とする。
【手続補正７】
【補正対象書類名】明細書
【補正対象項目名】００２８
【補正方法】変更
【補正の内容】
【００２８】
第５の発明は、第１の発明において、各子局は、無線通信端末から送信されてくるローカルエリア内からローカルエリア外へ出力される信号を受信して、親局に対して出力し、親局は、子局から出力されてくるローカルエリア内からローカルエリア外へ出力される信号をアクセス中継装置に対して出力し、アクセス中継装置は、親局から出力されてくるローカルエリア内からローカルエリア外へ出力される信号をローカルエリア外で使用される信号の形式に変換して、ローカルエリア外に出力することを特徴とする。
【手続補正８】
【補正対象書類名】明細書
【補正対象項目名】００２９
【補正方法】変更
【補正の内容】
【００２９】
第６の発明は、第５の発明において、親局は、さらに、各子局に対応し、各子局から出力されてくるローカルエリア内からローカルエリア外へ出力される信号を受信する複数の親局受信手段と、各親局受信手段が受信したローカルエリア内からローカルエリア外へ出力される信号を合成してアクセス中継装置に出力する親局合成手段とを含む。
【手続補正９】
【補正対象書類名】明細書
【補正対象項目名】００３０
【補正方法】変更
【補正の内容】
【００３０】
第７の発明は、第５の発明において、アクセス中継装置は、さらに、親局から送信されてくる信号の強度を検出する強度検出手段と、強度検出手段が検出した親局から送信されてくる信号の強度が、所定値よりも小さくなった場合に、親局に対して、自機に送信すべき信号を別の信号に切り替えるように要求する要求手段とをさらに含み、親局は、要求手段からの要求がありかつ、アクセス中継装置に送信すべき同一内容の信号を２以上の子局から受信している場合には、２以上の子局の内、アクセス中継装置に出力している信号の出力元とは異なる子局から出力されてくる信号を、アクセス中継装置に出力している信号に代えて出力することを特徴とする。
【手続補正１０】
【補正対象書類名】明細書
【補正対象項目名】００３１
【補正方法】変更
【補正の内容】
【００３１】
第８の発明は、第５の発明において、各子局は、ローカルエリア内に入力される信号からの影響によりローカルエリア内からローカルエリア外へ出力される信号において発生するクロストークと同じ強度を有する信号を、ローカルエリア内に入力される信号に基づいて作成し、クロストークに対して反転注入するクロストークキャンセル手段をさらに含む。
【手続補正１１】
【補正対象書類名】明細書
【補正対象項目名】００３２
【補正方法】変更
【補正の内容】
【００３２】
第９の発明は、第８の発明において、クロストークキャンセル手段は、ローカルエリア内に入力される信号の一部を分岐する第１のカプラ部と、第１のカプラ部が分岐したローカルエリア内に入力される信号の一部と、ローカルエリア内からローカルエリア外へ出力される信号とを合成する第２のカプラ部とを含み、第１のカプラ部は、ローカルエリア内に入力される信号を分岐する際に、第２のカプラ部に出力する信号の位相を９０°変化させ、第２のカプラ部は、二つの信号を合成する際に、第１のカプラ部から出力されたローカルエリア内に入力される信号の位相を９０°変化させることを特徴とする。
【手続補正１２】
【補正対象書類名】明細書
【補正対象項目名】００３３
【補正方法】変更
【補正の内容】
【００３３】
第１０の発明は、第５の発明において、各子局において、無線通信端末から送信されてくるローカルエリア内からローカルエリア外へ出力される信号を親局に対して出力するための送受信系統と、親局から出力されてくるローカルエリア内に入力される信号を無線通信端末に送信するための送受信系統とは、それぞれ別の筐体に格納されていることを特徴とする。
【手続補正１３】
【補正対象書類名】明細書
【補正対象項目名】００３４
【補正方法】変更
【補正の内容】
【００３４】
第１１の発明は、第１の発明において、親局と各子局とは、光伝送線により接続されており、親局は、振り分け手段が振り分けた信号を光信号に変換する光信号変換手段をさらに含み、各子局は、親局から出力されてくる光信号をローカルエリア内で使用される形式の電気信号に変換して、対応する無線通信エリア内の無線通信端末に対して無線電波の形式で送信することを特徴とする。
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】変更
【補正の内容】
【００３７】
第１２の発明は、第１１の発明において、子局は、変換したローカルエリア内で使用される形式の電気信号の周波数を、中間周波数から各アクセス中継装置が出力した時の周波数に変換する子局周波数変換手段をさらに含み、子局周波数変換手段が周波数変換した信号を対応する無線通信エリア内の無線通信端末に対して無線電波の形式で送信し、親局は、各アクセス中継装置で形式が変換されてローカルエリア内に入力される信号の周波数を中間周波数に変換する親局周波数変換手段をさらに含み、振り分け手段は、親局周波数変換手段が周波数変換した各アクセス中継装置で形式が変換されてローカルエリア内に入力される信号を振り分けることを特徴とする。
【手続補正１７】
【補正対象書類名】明細書
【補正対象項目名】００３８
【補正方法】変更
【補正の内容】
【００３８】
第１３の発明は、第１１の発明において、各アクセス中継装置は、変換したローカルエリア内に入力される信号を、第１の中間周波数の信号で親局に出力し、親局は、各アクセス中継装置から出力されてくるローカルエリア内に入力される信号の周波数を第２の中間周波数に変換する親局周波数変換手段をさらに含み、振り分け手段は、親局周波数変換手段が周波数変換した各アクセス中継装置で形式が変換されてローカルエリア内に入力される信号を振り分けることを特徴とする。
【手続補正１８】
【補正対象書類名】明細書
【補正対象項目名】００３９
【補正方法】変更
【補正の内容】
【００３９】
第１４の発明は、第１１の発明において、各子局と親局とを結ぶ各光伝送線は、それぞれ略等長であることを特徴とする。
【手続補正１９】
【補正対象書類名】明細書
【補正対象項目名】００４０
【補正方法】変更
【補正の内容】
【００４０】
第１５の発明は、第１の発明において、親局と各子局とは、光伝送線により接続されており、親局は、アクセス中継装置で形式が変換されてローカルエリアに入力される信号を光信号に変換する光信号変換手段をさらに含み、振り分け手段は、光信号変換手段が変換した光信号を、子局に対して振り分けて出力することを特徴とする。
【手続補正２０】
【補正対象書類名】明細書
【補正対象項目名】００４１
【補正方法】変更
【補正の内容】
【００４１】
第１６の発明は、第１の発明において、親局は、各子局のそれぞれに対応し、それぞれが各アクセス中継装置から出力される全てのローカルエリア内に入力される信号を受信する複数の受信手段をさらに備え、振り分け手段は、各子局のそれぞれに対応する複数の分離手段と、各子局と各分離手段との間に設けられる複数の振り分け出力手段とを含み、各分離手段は、各受信手段が受信した各アクセス中継装置から出力される全てのローカルエリア内に入力される信号を、各アクセス中継装置毎のローカルエリア内に入力される信号に分離し、各振り分け出力手段は、対応する分離手段が分離した信号の内、対応する子局に出力すべき信号を、管理手段で管理している通信経路に基づいて対応する子局に対して出力する。
【手続補正２１】
【補正対象書類名】明細書
【補正対象項目名】００４２
【補正方法】変更
【補正の内容】
【００４２】
第１７の発明は、第１の発明において、振り分け手段は、各子局のそれぞれに対応する複数の受信手段と、各子局と各受信手段との間に設けられる複数の振り分け出力手段とを含み、各受信手段は、各アクセス中継装置から出力されるローカルエリア内に入力される信号の内、管理手段が管理している通信経路に基づいて、対応する子局に送信すべきローカルエリア内に入力される信号のみを受信し、各振り分け出力手段は、各受信手段が受信したローカルエリア内に入力される信号を、対応する各子局に対して送信する。
【手続補正２２】
【補正対象書類名】明細書
【補正対象項目名】００４３
【補正方法】変更
【補正の内容】
【００４３】
第１８の発明は、第１の発明において、ローカルエリア内に存在する無線通信端末は、自機が属する通信エリアの子局に対して、所望するアクセス中継装置を介した通信開始の要求を行うための通信開始要求手段を備え、通信開始の要求は、子局を経由して、親局到達し、親局は、通信開始要求手段から送信されてくる通信開始の要求を受信する通信要求受信手段と、通信要求受信手段が受信した通信開始の要求に基づいて、子局が所望するアクセス中継装置を介した通信を開始させる通信開始手段とを備える。
【手続補正２３】
【補正対象書類名】明細書
【補正対象項目名】００４４
【補正方法】変更
【補正の内容】
【００４４】
第１９の発明は、第１の発明において、振り分け手段は、子局が、アクセス中継装置に対して所定時間以上信号を送信していない場合には、アクセス中継装置が出力する信号を、当該子局に振り分けて出力しないことを特徴とする。
【手続補正２４】
【補正対象書類名】明細書
【補正対象項目名】００４５
【補正方法】変更
【補正の内容】
【００４５】
第２０の発明は、ローカルエリア内に存在する無線通信端末が、ローカルエリア外のネットワークと通信を行えるようにするシステムであって、それぞれがローカルエリア内で個別的に無線通信エリアを形成し、対応する無線通信エリア内の無線通信端末との間で無線通信を行う複数の子局と、ローカルエリア外からローカルエリア内に入力される信号をローカルエリア内で使用される信号の形式に変換し、かつローカルエリア内からローカルエリア外へ出力される信号をローカルエリア外で使用される信号の形式に変換する複数のアクセス中継装置と、各子局と各アクセス中継装置との間に配置される親局とを備え、親局は、各アクセス中継装置から出力されるローカルエリア内に入力される信号を周波数多重する多重化手段と、振り分け手段は、多重化手段により多重化されたローカルエリア内に入力される信号を、全ての子局に振り分けて出力する振り分け手段とを含む。
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】
【手続補正３１】
【補正対象書類名】明細書
【補正対象項目名】００５２
【補正方法】削除
【補正の内容】
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】削除
【補正の内容】
【手続補正３５】
【補正対象書類名】明細書
【補正対象項目名】００５６
【補正方法】削除
【補正の内容】
【手続補正３６】
【補正対象書類名】明細書
【補正対象項目名】００５７
【補正方法】削除
【補正の内容】
【手続補正３７】
【補正対象書類名】明細書
【補正対象項目名】００５８
【補正方法】削除
【補正の内容】
【手続補正３８】
【補正対象書類名】明細書
【補正対象項目名】００５９
【補正方法】削除
【補正の内容】
【手続補正３９】
【補正対象書類名】明細書
【補正対象項目名】００６０
【補正方法】削除
【補正の内容】
【手続補正４０】
【補正対象書類名】明細書
【補正対象項目名】００６１
【補正方法】削除
【補正の内容】
【手続補正４１】
【補正対象書類名】明細書
【補正対象項目名】００６２
【補正方法】削除
【補正の内容】
【手続補正４２】
【補正対象書類名】明細書
【補正対象項目名】００６３
【補正方法】変更
【補正の内容】
【００６３】
第２１の発明は、それぞれがローカルエリア内で無線通信エリアを形成し無線通信エリア内に存在する無線通信端末と無線通信を行う複数の子局と、ローカルエリア外から入力される信号をローカルエリア内に出力する１以上のアクセス中継装置との間に配置される親局であって、各アクセス中継装置から各子局への通信経路を設定可能な状態で管理する管理手段と、アクセス中継装置が受信したローカルエリア内に入力される信号を、管理手段で管理されている通信経路にしたがって対応する子局に対して振り分けて出力する振り分け手段とを備える。
【手続補正４３】
【補正対象書類名】明細書
【補正対象項目名】００６４
【補正方法】変更
【補正の内容】
【００６４】
第２２の発明は、それぞれがローカルエリア内で無線通信エリアを形成し無線通信エリア内に存在する無線通信端末と無線通信を行う複数の子局と、ローカルエリア外から入力される信号をローカルエリア内に出力する複数のアクセス中継装置との間に配置される親局であって、各アクセス中継装置が受信したローカルエリア内に入力される信号を受信する受信手段と、受信手段が受信したローカルエリア内に入力される信号を、周波数多重する多重化手段と、多重化手段により多重化されたローカルエリア内に入力される信号を、全ての子局に振り分けて出力する振り分け手段とを備える。
【手続補正４４】
【補正対象書類名】明細書
【補正対象項目名】００６５
【補正方法】変更
【補正の内容】
【００６５】
第２３の発明は、それぞれがローカルエリア内で無線通信エリアを形成し、自機が形成する無線通信エリア内に存在する無線通信端末との間で通信を行なう無線通信システムにおいて用いられる子局であって、無線通信システムでは、ローカルエリア外からローカルエリア内に入力される信号を、ローカルエリア内で使用される信号の形式に変換して、対応する子局ごとに振り分けて出力し、振り分けて出力された信号の内、対応する信号を受信する信号受信手段と、受信手段が受信した信号を対応する無線通信エリア内に存在する無線通信端末に無線電波の形式で送信する電波送信手段とを備える。
【手続補正４５】
【補正対象書類名】明細書
【補正対象項目名】００６６
【補正方法】変更
【補正の内容】
【００６６】
第２４の発明は、第４４の発明において、ローカルエリア外からローカルエリア内に入力される信号は、光信号の形式の信号に変換されて振り分けて出力され、信号受信手段は、光信号の形式に変換された信号を受信し、信号受信手段が受信した信号を、電気信号の形式に変換する電気変換手段をさらに含み、電波送信手段は、電気変換手段が変換した信号を無線通信端末に無線電波の形式で送信し、無線通信端末は、無線電波の形式でローカルエリア内からローカルエリア外へ出力すべき信号を送信し、無線通信端末が送信した信号を受信する電波受信手段と、電波受信手段が受信した信号を、自機が形成している無線通信エリア外に送信する信号送信手段と、電波受信手段が受信した信号を、光信号の形式に変換する光変換手段とをさらに含み、信号送信手段は、光変換手段が変換した光信号を、自機が形成している無線通信エリア外に送信することを特徴とする。
【手続補正４６】
【補正対象書類名】明細書
【補正対象項目名】００６７
【補正方法】削除
【補正の内容】
【手続補正４７】
【補正対象書類名】明細書
【補正対象項目名】００６８
【補正方法】削除
【補正の内容】
【手続補正４８】
【補正対象書類名】明細書
【補正対象項目名】００６９
【補正方法】変更
【補正の内容】
【００６９】
第２５の発明は、第２４の発明において、ローカルエリア内に入力される信号からの影響によりローカルエリア内からローカルエリア外へ出力される信号において発生するクロストークと同じ強度を有する信号を、ローカルエリア内に入力される信号に基づいて作成し、クロストークに対して反転注入するクロストークキャンセル手段をさらに含む。
【手続補正４９】
【補正対象書類名】明細書
【補正対象項目名】００７０
【補正方法】変更
【補正の内容】
【００７０】
第２６の発明は、第２５の発明において、クロストークキャンセル手段は、ローカルエリア内に入力される信号の一部を分岐する第１のカプラ部と、第１のカプラ部が分岐したローカルエリア内に入力される信号の一部と、ローカルエリア内からローカルエリア外へ出力される信号とを合成する第２のカプラ部とを含み、第１のカプラ部は、ローカルエリア内に入力される信号を分岐する際に、第２のカプラ部に出力する信号の位相を９０°変化させ、第２のカプラ部は、二つの信号を合成する際に、第１のカプラ部から出力されたローカルエリア内に入力される信号の位相を９０°変化させることを特徴とする。
【手続補正５０】
【補正対象書類名】明細書
【補正対象項目名】００７１
【補正方法】変更
【補正の内容】
【００７１】
第２７の発明は、第２４の発明において、信号受信手段と電波送信手段とは、第１の筐体に格納され、信号送信手段と電波受信手段とは、第２の筐体に格納されていることを特徴とする。
【手続補正５１】
【補正対象書類名】明細書
【補正対象項目名】０１２７
【補正方法】変更
【補正の内容】
【０１２７】
次に、親局１０について詳しく説明する。図２は、親局１０の詳細な構成を示したブロック図である。当該親局１０は、送信信号合成部１０１、親局光送信部１０２、光分岐部１０３、受信信号処理部１１１、親局光受信部１１２および光合波部１１３を備える。
【手続補正５２】
【補正対象書類名】明細書
【補正対象項目名】０２９７
【補正方法】変更
【補正の内容】
【０２９７】
親局光送信部１５３ａは、接続されている送受信分離部１５２ａから出力される周波数多重された電気形式の無線ＬＡＮ信号を、光信号に変換する。そして、当該親局光送信部１５３ａは、光信号を、光ファイバ伝送路５０ａを介して子局２０ａに送信する。同様に、親局光送信部１５３ｂは、送受信分離部１５２ｂから出力される周波数多重された電気形式の無線ＬＡＮ信号を、光信号に変換する。そして、当該親局光送信部１５３ｂは、変換した光信号を、光ファイバ伝送路５０ｂを介して子局２０ｂに送信する。
【手続補正５３】
【補正対象書類名】明細書
【補正対象項目名】０３０７
【補正方法】変更
【補正の内容】
【０３０７】
次に、子局２０ａは、端末Ｃから送信されてくる電波を受信して、光信号に変換して、光ファイバ伝送路５０ａを介して親局３５へ送信する。なお、当該動作についても、第１の実施形態と同様であるので、これ以上の説明を省略する。
【手続補正５４】
【補正対象書類名】明細書
【補正対象項目名】０３３８
【補正方法】変更
【補正の内容】
【０３３８】
ここで、スイッチ１５０４ａ〜ｅは、設定部１５６の設定にしたがって、ＯＮ／ＯＦＦされている。図２４では、スイッチ１５０４ａ、ｂ、ｄおよびｅはＯＮにされており、スイッチ１５０４ｃはＯＦＦにされている。その為、接続器１５０２ａからは、ｆ１、ｆ２、ｆ４およびｆ５の周波数を持つ電気信号の形式の無線ＬＡＮ信号が合成部１５０３ａに出力される。合成部１５０３ａは、ｆ１、ｆ２、ｆ４およびｆ５の周波数を持つ電気信号の形式の無線ＬＡＮ信号を、周波数多重し、親局光送信部１５３ａに出力する。親局光送信部１５３ａは、多重化された信号を光信号に変換して、光ファイバ伝送路５０ａを介して、子局２０ａに対して送信する。これにより、エリアＣには、ＡＰ９３ａ、ｂ、ｄおよびｅが出力した信号が到達することとなる。
【手続補正５５】
【補正対象書類名】明細書
【補正対象項目名】０３４１
【補正方法】変更
【補正の内容】
【０３４１】
ここで、スイッチ１５０４ｆ〜ｊは、設定部１５６の設定にしたがって、ＯＮ／ＯＦＦされている。図２４では、スイッチ１５０４ｆおよびｈはＯＮにされており、スイッチ１５０４ｇ、ｉおよびｊはＯＦＦにされている。その為、接続器１５０２ｂからは、ｆ１およびｆ３の周波数を持つ電気信号の形式の無線ＬＡＮ信号が合成部１５０３ｂに出力される。合成部１５０３ｂは、ｆ１およびｆ３の周波数を持つ電気信号の形式の無線ＬＡＮ信号を、周波数多重し、親局光送信部１５３ｂに出力する。親局光送信部１５３ｂは、多重化された信号を光信号に変換して、光ファイバ伝送路５０ｂを介して、子局２０ｂに対して送信する。これにより、エリアＤには、ＡＰ９３ａおよびｃが出力した信号が到達することとなる。
【手続補正５６】
【補正対象書類名】明細書
【補正対象項目名】０３５４
【補正方法】変更
【補正の内容】
【０３５４】
アンテナ制御部２５１は、ユーザの入力にしたがって、指向性アンテナ部２５０ａおよびｂが含むアンテナの方向を制御して、所望のＡＰ９３ａ〜ｅと通信を可能にする。入力部２５２は、指向性アンテナ部２５０ａおよびｂにいずれのＡＰ９３ａ〜ｅと通信を行わせるのかを指示するための入力手段である。
【手続補正５７】
【補正対象書類名】明細書
【補正対象項目名】０３６５
【補正方法】変更
【補正の内容】
【０３６５】
アンテナ制御回路２６０ａおよびｂは、チャンネル選択制御部２６１の制御にしたがって、指向性アンテナ部２５０ａおよびｂが含む各アンテナの方向を制御して、所望のＡＰ９３ａ〜ｅと通信を可能にする。チャンネル選択制御部２６１は、図２７に示すエリア情報を保有している。入力部２６２は、指向性アンテナ部２５０ａおよびｂにいずれのＡＰ９３ａ〜ｅと通信を行わせるのかを指示するための入力手段である。
【手続補正５８】
【補正対象書類名】明細書
【補正対象項目名】０３７０
【補正方法】変更
【補正の内容】
【０３７０】
まず、端末Ｅは、エリアＣに入ると、エリア情報要求を子局２０ａおよび光ファイバ伝送路５０ａを介して親局３５に送信する（ステップＳ１）。当該処理では、端末Ｅは、ＡＰ９３ａが出力したｆ１の周波数を有する無線ＬＡＮ信号に応じるかたちで、ｆ１の周波数を有する無線ＬＡＮ信号を用いて、要求を送信する。
【手続補正５９】
【補正対象書類名】明細書
【補正対象項目名】０３７２
【補正方法】変更
【補正の内容】
【０３７２】
チャンネル選択制御部２６１は、取得した要求に応じて、エリア情報を送信する（ステップＳ１２）。具体的には、親局光送信部１５３に、エリア情報を光信号に変換して、子局２０ａに送信させる。この後、エリア情報は、光ファイバ伝送路５０ａおよび子局２０ａを経由して、端末Ｅに到達する。これにより、端末Ｅは、エリア情報を受信する（ステップＳ２）。
【手続補正６０】
【補正対象書類名】明細書
【補正対象項目名】０３７５
【補正方法】変更
【補正の内容】
【０３７５】
一方、使用不可能である場合には、端末Ｅは、エリアＤにおいて使用していた周波数による通信の開始要求を子局２０ａおよび光ファイバ伝送路５０ａを介して、親局３５に送信する（ステップＳ５）。なお、ここで用いる信号の周波数は、ステップＳ１において使用した周波数の信号（例えば、ＩＥＥＥ８０２．１１ｂの２．４ＧＨｚ帯の信号）である。図２７において、不可能であるということは、端末Ｅがｆ３の周波数を持つ信号によりエリアＤで通信していたときが考えられる。応じて、親局３５は、当該要求を親局光受信部１５４ａにおいて受信する（ステップＳ１３）。親局光受信部１５４ａは、当該要求を電気信号の形式の無線ＬＡＮ信号に変換し、チャンネル選択制御部２６１に出力する。
【手続補正６１】
【補正対象書類名】明細書
【補正対象項目名】０４０７
【補正方法】変更
【補正の内容】
【０４０７】
ここで、ダイバシティ機能が適用された無線信号光伝送センター装置を含む無線通信システムの例について、図面を参照しながら説明する。上述したダイバシティ機能を備えた親局１０は、2つの子局２０から同じ端末の送信信号が親局１０に送信されてきている場合において、２つの信号の内、強度の大きい方をダイバシティ受信するものであった。これに対して、図３１（ｂ）に示す無線通信システムでは、受信専用子局が設置されており、当該受信専用子局が受信した信号を処理するための受信機能が無線信号光伝送センター装置に設けられている。以下に、図３１（ｂ）を用いて、当該無線通信システムについて詳しく説明する。ここで、図３１（ｂ）は、本構成例に係る無線信号光伝送センター装置および子局の構成を示したブロック図である。
【手続補正６２】
【補正対象書類名】明細書
【補正対象項目名】０４０８
【補正方法】変更
【補正の内容】
【０４０８】
無線信号光伝送センター装置１００４は、ネットワークスイッチ部７５、アクセスポイント部９３−１〜ｋ、受信信号処理部１１１ａおよびｂ、送信信号処理部１２１、光送受信部１３２ａ〜ｎ、光受信部１３８ａ〜ｎならびに制御部１５０を備える。また、子局２０は、光送受信部２２１、無線送受信部２２２および送受信アンテナ部２２３を備える。また、ここで、ネットワークスイッチ部７５、受信信号処理部１１１ａ、送信信号処理部１２１、光送受信部１３２、光送受信部２２１、無線送受信部２２２および送受信アンテナ部２２３については、図３１（ａ）において説明したものと同様であるので、説明を省略する。
【手続補正６３】
【補正対象書類名】明細書
【補正対象項目名】０４０９
【補正方法】変更
【補正の内容】
【０４０９】
ここで、受信専用子局２７ａ〜ｎは、典型的には、子局２０ａ〜ｎのそれぞれに対応させて設けられるものであり、光送信部２２７、無線受信部２２８および受信アンテナ部２２９を備える。そして、当該受信専用子局２７ａ〜ｎは、対応する子局２０ａ〜ｎのエリアにおいて、端末から送信されてくる電波形式の無線ＬＡＮ信号を受信し、これを光信号に変換して無線信号光伝送センター装置１００４に伝送する。具体的には、受信アンテナ部２２９は、電波形式の無線ＬＡＮ信号を受信する。無線受信部２２８は、受信アンテナ部２２９から出力される信号を、光送信部２２７に適した形式に変換する。光送信部２２７は、無線受信部２２８が変換した信号を光信号に変換して、無線信号光伝送センター装置１００４へと送信する。
【手続補正６４】
【補正対象書類名】明細書
【補正対象項目名】０４１０
【補正方法】変更
【補正の内容】
【０４１０】
無線信号光伝送センター装置１００４の光受信部１３８は、受信専用子局２７から送信されてくる光信号を、電気信号の形式の無線ＬＡＮ信号に変換して、第２受信信号処理部１１１ｂへと出力する。第２受信信号処理部１１１ｂは、受信信号処理部１１１ａと同様の動作を行う。具体的には、制御部１５０の設定に基づいて、光受信部１３８ａ〜ｎから出力されてくる電気信号の形式の無線ＬＡＮ信号を、ＡＰ９３−１〜ｋに対して振り分けて出力する。
【手続補正６５】
【補正対象書類名】明細書
【補正対象項目名】０４１３
【補正方法】変更
【補正の内容】
【０４１３】
まず、子局２０ｂと受信専用子局２７ｂは、同じエリアを担当しているので、エリア内の同じ端末からの電波形式の無線ＬＡＮ信号を受信している。そして、子局２０ｂは、受信した電波形式の無線ＬＡＮ信号を光信号に変換して、無線信号光伝送センター装置１００４の光送受信部１３２ｂに出力する。なお、子局２０ｂの中で行われる動作については、図３１（ａ）において説明したものと同様であるので説明を省略する。
【手続補正６６】
【補正対象書類名】明細書
【補正対象項目名】０４１４
【補正方法】変更
【補正の内容】
【０４１４】
一方、受信専用子局２７ｂは、受信した電波形式の無線ＬＡＮ信号を光信号に変換して、無線信号光伝送センター装置１００４の光受信部１３８ｂに出力する。なお、受信専用子局２７ｂの中で行われる動作については、上述したので説明を省略する。
【手続補正６７】
【補正対象書類名】明細書
【補正対象項目名】０４１５
【補正方法】変更
【補正の内容】
【０４１５】
ここで、光信号を受信した光送受信部１３２ｂは、当該光信号を電気信号の形式の無線ＬＡＮ信号に変換して、受信信号処理部１１１ａに対して出力する。受信信号処理部１１１ａは、出力されてきた電気信号の形式の無線ＬＡＮ信号を制御部１５０の制御にしたがって、アクセスポイント部９３−１〜ｋのいずれかに出力する。なお、ここでは、受信信号処理部１１１ａは、光送受信部１３２ｂから出力されてきた電気信号の形式の無線ＬＡＮ信号を、アクセスポイント部９３−２に出力するものとする。これにより、アクセスポイント部９３−２には、端末が発した信号が到達する。
【手続補正６８】
【補正対象書類名】明細書
【補正対象項目名】０４１６
【補正方法】変更
【補正の内容】
【０４１６】
一方、光信号を受信した光受信部１３８ｂは、当該光信号を電気信号の形式の無線ＬＡＮ信号に変換して、受信信号処理部１１１ｂに対して出力する。受信信号処理部１１１ｂは、出力されてきた電気信号の形式の無線ＬＡＮ信号を制御部１５０の制御にしたがって、アクセスポイント部９３−１〜ｋのいずれかに出力する。なお、ここでは、受信信号処理部１１１ｂは、光受信部１３８ｂから出力されてきた電気信号の形式の無線ＬＡＮ信号を、アクセスポイント部９３−２に出力するものとする。これにより、アクセスポイント部９３−２には、端末が発した信号が到達する。
【手続補正６９】
【補正対象書類名】明細書
【補正対象項目名】０４１７
【補正方法】変更
【補正の内容】
【０４１７】
次に、アクセスポイント部９３−２は、子局２０ｂを経由してきた電気信号の形式の無線ＬＡＮ信号と、受信専用子局２７ｂを経由してきた電気信号の形式の無線ＬＡＮ信号との両方を取得すると、これら２つの電気信号の形式の無線ＬＡＮ信号のいずれの強度が大きいか、もしくはいずれの信号品質がよいかを判定する。そして、当該アクセスポイント部９３−２は、選択すべきと判定した方の電気信号の形式の無線ＬＡＮ信号を、イーサネット（Ｒ）信号に変換してネットワークスイッチ部７５へ出力する。この後、当該イーサネット（Ｒ）信号は、外部ネットワークへと出力される。
【手続補正７０】
【補正対象書類名】明細書
【補正対象項目名】０４１８
【補正方法】変更
【補正の内容】
【０４１８】
以上のように、無線信号光伝送センター装置１００４にダイバシティ機能が設けられることにより、信号品質の実質的な向上が期待でき、より安定した通信を実現することが可能となる。なお、上述したようなアクセスポイント部の切り換え機能は、通常の市販アクセスポイントが有している。そのため、このような市販のアクセスポイントをそのまま無線信号光伝送センター装置１００４のアクセスポイント部９３−１〜ｋとして組み込むことにより、当該無線通信システムを実現できる。
【手続補正７１】
【補正対象書類名】明細書
【補正対象項目名】０４２６
【補正方法】変更
【補正の内容】
【０４２６】
上記子局光受信部２０１は、光受信器５５０、局部発振器５５５、ミキサ５６０およびバンドパスフィルタ５６５を備える。光受信器５５０は、ＩＦ信号に変調された光信号をＩＦ信号である電気信号の形式の無線ＬＡＮ信号に変換する。局部発振器５５５は、ＩＦ信号である電気信号の形式の無線ＬＡＮ信号を、ＲＦ信号である電気信号の形式の無線ＬＡＮ信号に変換するための局部発振信号（周波数をｆｉとする）を発生する装置である。ミキサ５６０は、ＩＦ信号である電気信号の形式の無線ＬＡＮ信号と、局部発振器５５５が発生した信号とを混合する。バンドパスフィルタ５１５は、周波数変換された信号の中から、所望の周波数のＲＦ信号だけを抜き出す。
【手続補正７２】
【補正対象書類名】明細書
【補正対象項目名】０４２７
【補正方法】変更
【補正の内容】
【０４２７】
それでは、以下に、上記親局光送信部１０２および子局光受信部２０１が適用された無線通信システムの動作について説明する。なお、当該無線通信システムでは、ＲＦ信号である電気信号の形式の無線ＬＡＮ信号が親局光送信部１０２でＩＦ信号である電気信号の形式の無線ＬＡＮ信号に変換され、ＩＦ信号である電気信号の形式の無線ＬＡＮ信号が子局光受信部２０１でＲＦ信号である電気信号の形式の無線ＬＡＮ信号に変換されること以外は、第１の実施形態の無線通信システムと同様である。そこで、ここでは、親局光送信部１０２および子局光受信部２０１が行う動作についてのみ説明する。
【手続補正７３】
【補正対象書類名】明細書
【補正対象項目名】０４２８
【補正方法】変更
【補正の内容】
【０４２８】
まず、図３２に示されるように、親局光送信部１０２のミキサ５０５には、ｆ１、ｆ２、ｆ３およびｆ４の周波数を持ったＲＦ信号である電気信号の形式の無線ＬＡＮ信号と、局部発振器５１０が発振した局部発振信号とが入力される。当該ミキサ５０５は、入力してきた各信号を混合する。これにより、ｆ１〜ｆ４と、ｆｉとの差周波、和周波等の信号が発生する。
【手続補正７４】
【補正対象書類名】明細書
【補正対象項目名】０４２９
【補正方法】変更
【補正の内容】
【０４２９】
バンドパスフィルタ５１５は、ミキサ５０５において発生した差周波、和周波等の信号から、ＩＦ信号である電気信号の形式の無線ＬＡＮ信号を抽出する。なお、上記ＩＦ信号である電気信号の形式の無線ＬＡＮ信号の周波数をｆ１'、ｆ２'、ｆ３'およびｆ４'とすると、ｆ１'〜ｆ４'とｆ１〜ｆ４およびｆｉとの間には、次のような関係が成立する。ｆ１'＝ｆ１−ｆｉ、ｆ２'＝ｆ２−ｆｉ、ｆ３'＝ｆ３−ｆｉ、ｆ４'＝ｆ４−ｆｉ
これにより、ＲＦ信号である電気信号の形式の無線ＬＡＮ信号は、より低周波のＩＦ信号である電気信号の形式の無線ＬＡＮ信号に周波数変換される。
【手続補正７５】
【補正対象書類名】明細書
【補正対象項目名】０４３０
【補正方法】変更
【補正の内容】
【０４３０】
次に、光送信器５２０は、上記ＩＦ信号である電気信号の形式の無線ＬＡＮ信号を光信号に変換して、光ファイバ伝送路５０に出力する。これにより、光信号が子局２０に到達する。
【手続補正７６】
【補正対象書類名】明細書
【補正対象項目名】０４３３
【補正方法】変更
【補正の内容】
【０４３３】
バンドパスフィルタ５６５は、ミキサ５６０において発生した差周波、和周波等の信号から、ＲＦ信号である電気信号の形式の無線ＬＡＮ信号を抽出する。なお、当該ＲＦ信号である電気信号の形式の無線ＬＡＮ信号は、ｆ１〜ｆ４の周波数を持っている。
【手続補正７７】
【補正対象書類名】明細書
【補正対象項目名】０４３６
【補正方法】変更
【補正の内容】
【０４３６】
なお、ここでは、図２の親局１０の親局光送信部１０２および図３の子局２０の子局光受信部２０１について説明したが、図３２の親局光送信部１０２および図３３の子局光受信部２０１が適用されるのは、これらに限られない。より具体的には、第１〜第３の実施形態で用いられている全ての親局１０および子局２０に対して適用することが可能である。
【手続補正７８】
【補正対象書類名】明細書
【補正対象項目名】０４９８
【補正方法】変更
【補正の内容】
【０４９８】
１０、３０  親局
２０ａ、ｂ  子局
２７  受信専用子局
４０  親局機能部
５０ａ、ｂ  光ファイバ伝送路
５３  カプラ部
７０  ネットワークスイッチ
７５  ネットワークスイッチ部
８０ａ〜ｅ  電気ケーブル
９１ａ〜ｅ、９３ａ〜ｅ  ＡＰ
９２ａ〜ｋ  ＡＰ部
１０１  送信信号合成部
１０２、１０２ａ〜ｃ、１５４ａ、ｂ  親局光送信部
１０３  光分岐部
１１１  受信信号処理部
１１２、１１２ａ〜ｃ、１５３ａ、ｂ  親局光受信部
１１３  光合波部
１２１  送信信号処理部
１４０、１４２、１５６  設定部
１４１、１４３、１５７、２５２、２６２  入力部
１５０ａ、ｂ  アンテナ部
１５１ａ、ｂ  無線送受信部
１５２ａ、ｂ  送受信分離部
１５５ａ、ｂ  信号選択部
２０１  子局光受信部
２０２、２０２０  無線送信部
２０３、２０３１、２０３２  送信アンテナ部
２０４、２０４１、２０４２  送受信分離部
２０５、２０５１、２０５２  送受信アンテナ部
２０６、２０７  エコーキャンセル部
２０９  子局監視制御部
２１１  子局光送信部
２１２、２１２０  無線受信部
２１３、２１３１、２１３２  受信アンテナ部
２２７  光送信部
２２８  無線受信部
２２９  受信アンテナ部
２５０ａ、ｂ  指向性アンテナ部
２５１  アンテナ制御部
２６０ａ、ｂ  アンテナ制御回路
２６１  チャンネル選択制御部
５０５、５６０、６１０、６６０  ミキサ
５１５、５６５、６１５、６６５  バンドパスフィルタ
５２０  光送信器
５２５、５５５、６０５  局部発振器
５５０  光受信器
６００、６５０  ダウンコンバート部
７００ａ〜ｅ  サーキュレータ
７０７、７１０ａおよびｂ、７１５、７２０ａおよびｂ、７２５  ＷＤＭカプラ
８００ａ〜ｅ  親局光送信部
８０５  光送信信号処理部
８１０ａ〜ｄ  光分岐部
８１５ａ〜ｃ  光接続器
８２０ａ〜ｃ  光合成部
１００１、１００２  無線信号光伝送センター装置
１２１５  サーキュレータ部
１２５０  送受信信号処理部
１２５１、１２５３  カプラ郡
１２５２  スイッチ郡
１５００ａ、ｂ  分岐部
１５０１ａ〜ｊ  バンドパスフィルタ
１５０２ａ、ｂ  接続器
１５０３ａ、ｂ  合成部
１５０４ａ〜ｊ  スイッチ
２０４５  送受信分離部
２０４６  エコーキャンセラー
２０４７、２０７３、２０７４  加算器
２０６１  分岐部
２０６３  反転部
２０７１  エコーキャンセラーａ
２０７２  エコーキャンセラーｂ
２０８１  カプラ部
２０８２  遅延部
２０８３  減衰部
２０８４  サーキュレータ部